【手続補正書】
【提出日】平成26年1月22日(2014.1.22)
【手続補正１】
【補正対象書類名】特許請求の範囲
【補正対象項目名】全文
【補正方法】変更
【補正の内容】
【特許請求の範囲】
【請求項１】
同一の印刷装置に対応する複数種類のプリンタドライバがインストールされている状態で前記印刷装置のプリントキューを更新する場合に、いずれかの種類のプリンタドライバを優先させてプリントキューを更新するオペレーティングシステムが動作する情報処理装置であって、
プリンタドライバのインストール処理において、インストールするプリンタドライバが制御するプリンタに対応する既存のプリントキューを検索する検索手段と、
前記検索手段により検索された前記プリントキューの出力先が他装置を介して接続された印刷装置であるか否かを判定する判定手段と、
前記判定手段により前記プリントキューの出力先が他装置を介して接続された印刷装置であると判定された場合、前記オペレーティングシステムへの前記プリントキューの更新要求を行うことなく前記インストール処理を終了するように制御する制御手段と、
を有することを特徴とする情報処理装置。
【請求項２】
前記検索手段は、前記既存のプリントキューであって、前記インストールするプリンタドライバと互換性のない種類のプリンタドライバを用いるプリントキューを検索することを特徴とする請求項１に記載の情報処理装置。
【請求項３】
前記判定手段により前記プリントキューの出力先が他装置を介して接続された印刷装置であると判定された場合、前記インストール処理を続行すると前記プリントキューを用いて正しく印刷できなくなる旨の警告を行う警告手段を有することを特徴とする請求項１又は２に記載の情報処理装置。
【請求項４】
前記警告手段は、前記インストール処理の続行を指示する指示手段を有し、
前記指示手段がユーザにより指示されると、前記制御手段は、前記インストール処理を続行して前記オペレーティングシステムへの前記プリントキューの更新要求を行うことを特徴とする請求項３に記載の情報処理装置。
【請求項５】
前記複数種類のプリンタドライバのうち前記オペレーティングシステムに優先される種類のプリンタドライバと互換性のない種類のプリンタドライバは、
印刷ジョブの処理時に、前記情報処理装置に、
前記互換性のない種類のプリンタドライバを用いるプリントキューの出力先が他装置を介して接続された印刷装置であるか判定し、
前記プリントキューの出力先が他装置を介して接続された印刷装置であると判定した場合、前記他装置からエラーの通知を受けた履歴が有るか判定し、
前記他装置からエラーの通知を受けた履歴が有ると判定した場合、前記優先される種類のプリンタドライバが前記情報処理装置にインストール済であるか判定し、
前記優先される種類のプリンタドライバがインストール済であると判定した場合、前記オペレーティングシステムに前記印刷装置のプリントキューの更新を要求する処理を、
実行させることを特徴とする請求項２に記載の情報処理装置。
【請求項６】
同一の印刷装置に対応する複数種類のプリンタドライバがインストールされている状態で前記印刷装置のプリントキューを更新する場合に、いずれかの種類のプリンタドライバを優先させてプリントキューを更新するオペレーティングシステムが動作する情報処理装置であって、
プリンタドライバのインストール処理において、インストールするプリンタドライバが制御するプリンタに対応する既存のプリントキューを検索する検索手段と、
前記検索手段により検索された前記プリントキューが他装置と共有状態で稼働しているか否かを判定する判定手段と、
前記判定手段により前記プリントキューが他装置と共有状態で稼働していると判定された場合、前記オペレーティングシステムへの前記プリントキューの更新要求を行うことなく前記インストール処理を終了するように制御する制御手段と、
を有することを特徴とする情報処理装置。
【請求項７】
前記判定手段は、過去の印刷時に生成されたスプールファイルの中らから前記プリントキューで処理した印刷ジョブを生成した装置の情報を取得し、該取得した情報に他装置が含まれている場合に、前記プリントキューが他装置と共有状態で稼働していると判定することを特徴とする請求項６に記載の情報処理装置。
【請求項８】
前記検索手段は、前記既存のプリントキューであって、前記インストールするプリンタドライバと互換性のない種類のプリンタドライバを用いるプリントキューを検索することを特徴とする請求項６又は７に記載の情報処理装置。
【請求項９】
前記判定手段により前記プリントキューが他装置と共有状態で稼働していると判定された場合、前記インストール処理を続行すると前記プリントキューを用いて正しく印刷できなくなる旨の警告を行う警告手段を有することを特徴とする請求項７又は８に記載の情報処理装置。
【請求項１０】
同一の印刷装置に対応する複数種類のプリンタドライバがインストールされている状態で前記印刷装置のプリントキューを更新する場合に、いずれかの種類のプリンタドライバを優先させてプリントキューを更新するオペレーティングシステムが動作する情報処理装置における制御方法であって、
プリンタドライバのインストール処理において、インストールするプリンタドライバが制御するプリンタに対応する既存のプリントキューを検索する検索ステップと、
前記検索されたプリントキューの出力先が他装置を介して接続された印刷装置であるか否かを判定する判定ステップと、
前記検索されたプリントキューの出力先が他装置を介して接続された印刷装置であると判定された場合、前記オペレーティングシステムへの当該プリントキューの更新要求を行うことなく前記インストール処理を終了するように制御する制御ステップと、
を有することを特徴とする制御方法。
【請求項１１】
同一の印刷装置に対応する複数種類のプリンタドライバがインストールされている状態で前記印刷装置のプリントキューを更新する場合に、いずれかの種類のプリンタドライバを優先させてプリントキューを更新するオペレーティングシステムが動作する情報処理装置における制御方法であって、
プリンタドライバのインストール処理において、インストールするプリンタドライバが制御するプリンタに対応する既存のプリントキューを検索する検索ステップと、
前記検索されたプリントキューが他装置と共有状態で稼働しているか否かを判定する判定ステップと、
前記検索されたプリントキューが他装置と共有状態で稼働していると判定された場合、前記オペレーティングシステムへの当該プリントキューの更新要求を行うことなく前記インストール処理を終了するように制御する制御ステップと、
を有することを特徴とする制御方法。
【請求項１２】
プリンタドライバのインストール処理において、インストールするプリンタドライバが制御するプリンタに対応する既存のプリントキューを検索する検索手段と、
前記検索手段により検索された前記プリントキューの出力先が他装置を介して接続された印刷装置であるか否かを判定する判定手段と、
前記判定手段により前記プリントキューの出力先が他装置を介して接続された印刷装置であると判定された場合、オペレーティングシステムへの前記プリントキューの更新要求を行うことなく前記インストール処理を終了するように制御する制御手段として、コンピュータを機能させるためのプログラムであって、
前記オペレーティングシステムは、同一の印刷装置に対応する複数種類のプリンタドライバがインストールされている状態で前記印刷装置のプリントキューを更新する場合に、いずれかの種類のプリンタドライバを優先させてプリントキューを更新することを特徴とするプログラム。
【請求項１３】
プリンタドライバのインストール処理において、インストールするプリンタドライバが制御するプリンタに対応する既存のプリントキューを検索する検索手段と、
前記検索手段により検索された前記プリントキューが他装置と共有状態で稼働しているか否かを判定する判定手段と、
前記判定手段により前記プリントキューが他装置と共有状態で稼働していると判定された場合、オペレーティングシステムへの前記プリントキューの更新要求を行うことなく前記インストール処理を終了するように制御する制御手段として、コンピュータを機能させるためのプログラムであって、
前記オペレーティングシステムは、同一の印刷装置に対応する複数種類のプリンタドライバがインストールされている状態で前記印刷装置のプリントキューを更新する場合に、いずれかの種類のプリンタドライバを優先させてプリントキューを更新することを特徴とするプログラム。